(57)【要約】【課題】直流電源を遮断する際に他方の接続器との間で発生するアークを安全かつ良好に消弧できるアーク遮断機構を持つ交流接続も可能な交流・直流併用型接続器を実現する。【解決手段】本発明の一形態に係る交流・直流併用型接続器１は、規格化されている交流コンセントコネクタ及びプラグコネクタの何れか一方の接続器にアーク遮断機構３を設けて交流・直流併用型接続器とし、一方の接続器を他方の接続器２と直流接続した状態から当該他方の接続器２との直流接続を遮断した際に、他方の接続器２との間で発生するアークをアーク遮断機構３によって消弧する。【選択図】図５
2018028995.tif 000002
【特許請求の範囲】
【請求項１】
規格化されている交流コンセントコネクタ及びプラグコネクタの何れか一方の接続器にアーク遮断機構を設けて交流・直流併用型接続器とし、前記一方の接続器を他方の接続器と直流接続した状態から当該他方の接続器との直流接続を遮断した際に、前記他方の接続器との間で発生するアークを前記アーク遮断機構によって消弧する、交流・直流併用型接続器。
【請求項２】
前記他方の接続器の端子が嵌合及び抜去される負荷側端子と、
直流電源又は交流電源に電気的に接続される電源側端子と、
を備え、
前記アーク遮断機構は、前記他方の接続器の端子における前記負荷側端子との嵌合が完了すると、前記負荷側端子と前記電源側端子とを電気的に接続し、前記他方の接続器の端子が前記負荷側端子から抜去されるとき、前記他方の接続器の端子における前記負荷側端子からの抜去が完了する前に、前記負荷側端子と前記電源側端子との電気的な接続を遮断する、請求項１に記載の交流・直流併用型接続器。
【請求項３】
前記アーク遮断機構は、前記他方の接続器の端子が嵌合及び抜去される方向に延在する第１の軸に対して直交する第２の軸に沿って往復動作する第１のスライダーを備え、
前記第１のスライダーが前記他方の接続器の端子における前記負荷側端子との嵌合及び前記他方の接続器の端子における前記負荷側端子からの抜去に連動するように動作することで接点が移動し、前記負荷側端子と前記電源側端子との電気的な接続又は前記負荷側端子と前記電源側端子との電気的な接続の遮断を実現する、請求項２に記載の交流・直流併用型接続器。
【請求項４】
前記アーク遮断機構は、
前記第１のスライダーが前記第２の軸に沿って第１の方向に移動した状態で当該第１のスライダーを固定する固定機構と、
弾性部材を有し、前記第１のスライダーが前記第１の方向に移動した状態から当該第１のスライダーを前記第１の方向に対して逆方向である第２の方向に移動させる復帰機構と、
を備え、
前記他方の接続器の前記負荷側端子との嵌合動作を前記第１のスライダーの前記第１の方向への移動動作に変換し、前記第１のスライダーの前記第１の方向への移動に伴って前記接点が移動し、前記接点を介して前記負荷側端子と前記電源側端子とが電気的に接続すると共に、前記復帰機構の弾性部材が変形した状態で当該第１のスライダーを前記固定機構によって固定し、
前記他方の接続器における前記負荷側端子からの抜去動作に応じて、前記固定機構による前記第１のスライダーの固定が解除され、前記復帰機構における弾性部材の復元力によって前記第１のスライダーが前記第２の方向に移動し、前記接点を介した前記負荷側端子と前記電源側端子との電気的な接続を遮断する、請求項３に記載の交流・直流併用型接続器。
【請求項５】
前記負荷側端子と前記電源側端子とは、前記第１の軸方向で前記第１のスライダーを挟むように配置され、
前記接点は、前記第１のスライダーを前記第１の軸方向に貫通するように当該第１のスライダーに設けられ、
前記他方の接続器の端子が前記負荷側端子と嵌合されて前記第１のスライダーが移動すると、前記第１のスライダーと共に移動した前記接点を介して前記負荷側端子と前記電源側端子とが電気的に接続する、請求項３又は４に記載の交流・直流併用型接続器。
【請求項６】
前記アーク遮断機構は、前記第１の軸方向に延在する回転軸を中心に回転するロータリーカムを備え、
前記接点は、前記電源側端子に設けられ、
前記負荷側端子と前記電源側端子とは、前記第２の軸方向に並べられ、
前記他方の接続器の端子が前記負荷側端子と嵌合されて前記第１のスライダーが移動すると、前記ロータリーカムの一方の端部が押し出されて当該ロータリーカムが回転し、前記ロータリーカムの他方の端部によって前記電源側端子を介して前記接点を押し込んで前記負荷側端子と前記電源側端子とを電気的に接続する、請求項３又は４に記載の交流・直流併用型接続器。
【請求項７】
前記アーク遮断機構は、前記第１の軸方向に移動可能であり、且つ前記第１のスライダーを押し出す押し出し部を有する第２のスライダーを備え、
前記他方の接続器の端子が前記負荷側端子と嵌合されると、前記他方の接続器の端子によって前記第２のスライダーが押し下げられ、前記第２のスライダーの押し出し部が前記第１のスライダーに接触して当該第１のスライダーを移動させる、請求項３乃至６のいずれか１項に記載の交流・直流併用型接続器。
【請求項８】
前記他方の接続器は、接地端子を有するプラグコンセントであり、
前記他方の接続器の接地端子は、前記一方の接続器の接地端子と嵌合されると、前記第１のスライダーに接触して当該第１のスライダーを移動させる、請求項３乃至６のいずれか１項に記載の交流・直流併用型接続器。
【請求項９】
前記負荷側端子と前記電源側端子とが電気的に接続される位置近傍に磁石を備える、請求項２乃至８のいずれか１項に記載の交流・直流併用型接続器。
【請求項１０】
コンセントコネクタ及びプラグコネクタの何れか一方の接続器の端子が嵌合及び抜去される負荷側端子と、直流電源又は交流電源に電気的に接続される電源側端子と、を備える他方の接続器に設けられるアーク遮断機構であって、
前記アーク遮断機構は、前記負荷側端子と前記電源側端子との間に配置され、前記一方の接続器の端子における前記負荷側端子との嵌合が完了すると、前記負荷側端子と前記電源側端子とを電気的に接続し、前記一方の接続器の端子が前記負荷側端子から抜去されるとき、前記一方の接続器の端子における前記負荷側端子からの抜去が完了する前に、前記負荷側端子と前記電源側端子との電気的な接続を遮断する、アーク遮断機構。
【発明の詳細な説明】
【技術分野】
【０００１】
本発明は、交流・直流併用型接続器及びアーク遮断機構に関する。
【背景技術】
【０００２】
近年、再生エネルギーとして太陽光発電や風力発電などの再生自然エネルギーを利用した発電方式が一般化しつつある。このような発電方式は、直流電源であり、発電された電気をバッテリーに充電活用し、又は発電事業で電力会社に送電線を通じて売電することが一般的である。
【０００３】
一方で、再生自然エネルギーを利用して発電した電気を自動車などのバッテリーに充電する技術も開発されている。このように再生自然エネルギーを利用して発電した電気をバッテリーに充電し、家庭内で安全に利用することができればエネルギー問題の解決に寄与するだけではなく、電化未地域では送電線が不要なオフザグリッド（ルーラル）で電化を進めることができる。
【０００４】
しかし、再生自然エネルギーを利用した発電量は、一般的に６００Ｖ〜１２００Ｖの高電圧直流であり、直流の導通経路を遮断する際にコンセントコネクタ（ソケットアウトレット）とプラグコネクタとの間で発生するアークを適切に消弧する必要がある。ここで、以下の説明では、コンセントコネクタやプラグコネクタを総称して接続器という場合がある。
【０００５】
直流接続を遮断する際に他方の接続器との間で発生するアークを消弧するための構成を備えた直流電源用接続器が種々開発されている（例えば、特許文献１を参照）。しかし、何れも使用範囲がデータセンターなどの限られた領域であり、家庭用電化製品への適用はされていない。
【先行技術文献】
【特許文献】
【０００６】
【特許文献１】特開２０１５−１８７９９８号公報
【発明の概要】
【発明が解決しようとする課題】
【０００７】
電化地域で普及している一般的な電源用の接続器は、交流タイプであり、上述のように電化未地域で再生自然エネルギーを使用したオフザグリッド化を進めようとしても、例えば、家電製品の電源用の接続器を上述した特許文献１のような直流電源用接続器に交換し、かつ電源回路を変更しないと、電化未地域で当該家電製品を利用することはできない。
【０００８】
電化未地域の多くは貧しい環境にあり、新たに家電製品を購入することは稀である。先進国といわれる地域は多くの家電製品を廃棄、リサイクルしており、このような廃棄される家電製品を直流家電製品として再活用し、オフザグリッド内で使用できれば電化未地域の生活環境の改善が可能となる。多くの家電製品は電源回路内に交流から直流に変換する回路をもっており、多くの家電製品は直流で動作するため、規定の直流電圧に降圧する電源回路を入れ替えるだけで家電製品が直流で使用できるようになる。このため、再生自然エネルギーを使用したオフザグリッド化は地球環境や人類にとって大きな可能性を持っているものである。
しかし、再生自然エネルギーで発電される電気は直流高電圧であり、前述のとおり生活環境下で使用するためには感電等の対策が重要となってくる。
【０００９】
そのため、直流電源を遮断する際に他方の接続器との間で発生するアークを安全かつ良好に消弧でき、しかも、交流接続も可能な交流・直流併用型接続器を家電の電源用の接続器に用いることができれば、接続器の交換を行うことなく、当該家電を電化地域及びオフザグリッド化による電化未地域の両方で用いることができる。
【００１０】
例えば、交流コンセントコネクタを持つコンテナハウスに再生自然エネルギーの発電装置とバッテリーを接続し交流経路で直流送電できればコンセントコネクタを入れ替えるだけで直流と交流とを併用できる環境を構築できる。これは、特に２２０Ｖ〜２４０Ｖ地域に有効な手段であり交流の実効値が再生自然エネルギーで発電される直流電圧に近いことがあげられる。
【００１１】
本発明は、このような問題を解決するためになされたものであり、直流電源を遮断する際に他方の接続器との間で発生するアークを安全かつ良好に消弧できるアーク遮断機構を持つ交流接続も可能な交流・直流併用型接続器及びアーク遮断機構を実現する。
【課題を解決するための手段】
【００１２】
本発明の一態様に係る交流・直流併用型接続器は、規格化されている交流コンセントコネクタ及びプラグコネクタの何れか一方の接続器にアーク遮断機構を設けて交流・直流併用型接続器とし、前記一方の接続器を他方の接続器と直流接続した状態から当該他方の接続器との直流接続を遮断した際に、前記他方の接続器との間で発生するアークを前記アーク遮断機構によって消弧する。
【００１３】
上述の交流・直流併用型接続器において、
前記他方の接続器の端子が嵌合及び抜去される負荷側端子と、
直流電源又は交流電源に電気的に接続される電源側端子と、
を備え、
前記アーク遮断機構は、前記他方の接続器の端子における前記負荷側端子との嵌合が完了すると、前記負荷側端子と前記電源側端子とを電気的に接続し、前記他方の接続器の端子が前記負荷側端子から抜去されるとき、前記他方の接続器の端子における前記負荷側端子からの抜去が完了する前に、前記負荷側端子と前記電源側端子との電気的な接続を遮断することが好ましい。
【００１４】
上述の交流・直流併用型接続器において、
前記アーク遮断機構は、前記他方の接続器の端子が嵌合及び抜去される方向に延在する第１の軸に対して直交する第２の軸に沿って往復動作する第１のスライダーを備え、
前記第１のスライダーが前記他方の接続器の端子における前記負荷側端子との嵌合及び前記他方の接続器の端子における前記負荷側端子からの抜去に連動するように動作することで接点が移動し、前記負荷側端子と前記電源側端子との電気的な接続又は前記負荷側端子と前記電源側端子との電気的な接続の遮断を実現することが好ましい。
【００１５】
上述の交流・直流併用型接続器において、
前記アーク遮断機構は、
前記第１のスライダーが前記第２の軸に沿って第１の方向に移動した状態で当該第１のスライダーを固定する固定機構と、
弾性部材を有し、前記第１のスライダーが前記第１の方向に移動した状態から当該第１のスライダーを前記第１の方向に対して逆方向である第２の方向に移動させる復帰機構と、
を備え、
前記他方の接続器の前記負荷側端子との嵌合動作を前記第１のスライダーの前記第１の方向への移動動作に変換し、前記第１のスライダーの前記第１の方向への移動に伴って前記接点が移動し、前記接点を介して前記負荷側端子と前記電源側端子とが電気的に接続すると共に、前記復帰機構の弾性部材が変形した状態で当該第１のスライダーを前記固定機構によって固定し、
前記他方の接続器における前記負荷側端子からの抜去動作に応じて、前記固定機構による前記第１のスライダーの固定が解除され、前記復帰機構における弾性部材の復元力によって前記第１のスライダーが前記第２の方向に移動し、前記接点を介した前記負荷側端子と前記電源側端子との電気的な接続を遮断することが好ましい。
【００１６】
上述の交流・直流併用型接続器において、
前記負荷側端子と前記電源側端子とは、前記第１の軸方向で前記第１のスライダーを挟むように配置され、
前記接点は、前記第１のスライダーを前記第１の軸方向に貫通するように当該第１のスライダーに設けられ、
前記他方の接続器の端子が前記負荷側端子と嵌合されて前記第１のスライダーが移動すると、前記第１のスライダーと共に移動した前記接点を介して前記負荷側端子と前記電源側端子とが電気的に接続することが好ましい。
【００１７】
上述の交流・直流併用型接続器において、
前記アーク遮断機構は、前記第１の軸方向に延在する回転軸を中心に回転するロータリーカムを備え、
前記接点は、前記電源側端子に設けられ、
前記負荷側端子と前記電源側端子とは、前記第２の軸方向に並べられ、
前記他方の接続器の端子が前記負荷側端子と嵌合されて前記第１のスライダーが移動すると、前記ロータリーカムの一方の端部が押し出されて当該ロータリーカムが回転し、前記ロータリーカムの他方の端部によって前記電源側端子を介して前記接点を押し込んで前記負荷側端子と前記電源側端子とを電気的に接続することが好ましい。
【００１８】
上述の交流・直流併用型接続器において、
前記アーク遮断機構は、前記第１の軸方向に移動可能であり、且つ前記第１のスライダーを押し出す押し出し部を有する第２のスライダーを備え、
前記他方の接続器の端子が前記負荷側端子と嵌合されると、前記他方の接続器の端子によって前記第２のスライダーが押し下げられ、前記第２のスライダーの押し出し部が前記第１のスライダーに接触して当該第１のスライダーを移動させることが好ましい。
【００１９】
上述の交流・直流併用型接続器において、前記他方の接続器は、接地端子を有するプラグコンセントであり、
前記他方の接続器の接地端子は、前記一方の接続器の接地端子と嵌合されると、前記第１のスライダーに接触して当該第１のスライダーを移動させることが好ましい。
【００２０】
上述の交流・直流併用型接続器において、前記負荷側端子と前記電源側端子とが電気的に接続される位置近傍に磁石を備えることが好ましい。
【００２１】
本発明の一態様に係るアーク遮断機構は、コンセントコネクタ及びプラグコネクタの何れか一方の接続器の端子が嵌合及び抜去される負荷側端子と、直流電源又は交流電源に電気的に接続される電源側端子と、を備える他方の接続器に設けられるアーク遮断機構であって、
前記アーク遮断機構は、前記負荷側端子と前記電源側端子との間に配置され、前記一方の接続器の端子における前記負荷側端子との嵌合が完了すると、前記負荷側端子と前記電源側端子とを電気的に接続し、前記一方の接続器の端子が前記負荷側端子から抜去されるとき、前記一方の接続器の端子における前記負荷側端子からの抜去が完了する前に、前記負荷側端子と前記電源側端子との電気的な接続を遮断する。
【発明の効果】
【００２２】
本発明により、直流電源を遮断する際に他方の接続器との間で発生するアークを安全かつ良好に消弧できるアーク遮断機構を持つ交流接続も可能な交流・直流併用型接続器及びアーク遮断機構を実現することができる。
【図面の簡単な説明】
【００２３】
【図１】実施の形態１の交流・直流併用型接続器の外観を模式的に示す斜視図である。
【図２】実施の形態１の交流・直流併用型接続器の上側カバーを取り除いた状態を模式的に示す斜視図である。
【図３】実施の形態１の交流・直流併用型接続器のアーク遮断機構の構成を模式的に示す後方斜視図である。
【図４】実施の形態１の交流・直流併用型接続器のアーク遮断機構の構成を模式的に示す前方斜視図である。
【図５】図２のＶ−Ｖ位置での断面斜視図である。
【図６】図２のVI−VI位置での断面斜視図である。
【図７】図６のVII部分の拡大図である。
【図８】実施の形態１の交流・直流併用型接続器に他方の接続器の電極端子が挿入された際のアーク遮断機構の動作を説明するための図であり、図５と対応する位置での断面斜視図である。
【図９】実施の形態１の交流・直流併用型接続器に他方の接続器の電極端子が挿入された際のアーク遮断機構の動作を説明するための図であり、図６と対応する位置での断面斜視図である。
【図１０】図９のＸ部分の拡大図である。
【図１１】実施の形態１の交流・直流併用型接続器の磁石の配置を説明するための図である。
【図１２】実施の形態１の交流・直流併用型接続器の磁石の配置を説明するための異なる図である。
【図１３】実施の形態２の交流・直流併用型接続器の外観を模式的に示す斜視図である。
【図１４】実施の形態２の交流・直流併用型接続器の上側カバーを取り除いた状態を模式的に示す斜視図である。
【図１５】実施の形態２の交流・直流併用型接続器のアーク遮断機構の構成を模式的に示す後方斜視図である。
【図１６】実施の形態２の交流・直流併用型接続器のアーク遮断機構の構成を模式的に示す前方斜視図である。
【図１７】図１４のXVII−XVII位置での断面斜視図である。
【図１８】図１４のXVIII−XVIII位置での断面斜視図である。
【図１９】実施の形態２の交流・直流併用型接続器に他方の接続器の接地端子が挿入された際のアーク遮断機構の動作を説明するための図であり、図１７と対応する位置での断面斜視図である。
【図２０】実施の形態２の交流・直流併用型接続器に他方の接続器の接地端子が挿入された際のアーク遮断機構の動作を説明するための図であり、図１８と対応する位置での断面斜視図である。
【図２１】図２０のXXI部分の拡大図である。
【図２２】実施の形態２の交流・直流併用型接続器の磁石の配置を説明するための図である。
【図２３】実施の形態２の交流・直流併用型接続器の磁石の配置を説明するための異なる図である。
【図２４】実施の形態３の交流・直流併用型接続器のアーク遮断機構の構成を模式的に示す斜視図である。
【図２５】図２４のXXV−XXV位置での断面図である。
【図２６】実施の形態３の交流・直流併用型接続器に他方の接続器の接地端子が挿入された際のアーク遮断機構の動作を説明するための斜視図である。
【図２７】図２６のXXVII部分の拡大図である。
【図２８】図２６のXXVIII−XXVIII位置での断面図である。
【発明を実施するための形態】
【００２４】
以下、本発明を実施するための最良の形態について、添付図面を参照しながら説明する。但し、本発明が以下の実施の形態に限定される訳ではない。また、説明を明確にするため、以下の記載及び図面は、適宜、簡略化されている。
【００２５】
＜実施の形態１＞
本実施の形態の交流・直流併用型接続器を説明する。図１は、本実施の形態の交流・直流併用型接続器の外観を模式的に示す斜視図である。図２は、本実施の形態の交流・直流併用型接続器の上側カバーを取り除いた状態を模式的に示す斜視図である。図３は、本実施の形態の交流・直流併用型接続器のアーク遮断機構の構成を模式的に示す後方斜視図である。図４は、本実施の形態の交流・直流併用型接続器におけるアーク遮断機構の構成を模式的に示す前方斜視図である。図５は、図２のＶ−Ｖ位置での断面斜視図である。図６は、図２のVI−VI位置での断面斜視図である。図７は、図６のVII部分の拡大図である。なお、各図は、簡略化して示されている場合がある。
【００２６】
交流・直流併用型接続器１は、図１及び図２に示すように、プラグとして２つの電極端子２ａを有する２ピン型のプラグコネクタ（即ち、他方の接続器）２が挿抜（嵌合及び抜去）されるコンセントコネクタであり、例えば、ＩＥＣ６０３２０、ＪＩＳ Ｃ ８２８３、ＪＩＳ Ｃ ８３０３、又はＣＥＥ、ＢＳ、ＮＥＭＡなどの規格化された交流コンセントコネクタにアーク遮断機構３を設けて交流・直流併用型コンセントコネクタとし、他方の接続器２の電極端子２ａとの直流接続を遮断する際に当該電極端子２ａとの間で発生するアークをアーク遮断機構３によって消弧する。
【００２７】
詳細に、本実施の形態の交流・直流併用型接続器１の構成を説明する。ここで、以下の説明では、説明を明確にするために、図１に示すように、他方の接続器２の挿抜方向（第１の軸方向）を交流・直流併用型接続器１の上下方向とし、他方の接続器２の電極端子２ａが並ぶ方向を交流・直流併用型接続器１の左右方向とするが、当該方向は交流・直流併用型接続器１の使用形態によって、適宜、変更される。
【００２８】
交流・直流併用型接続器１は、図３及び図４に示すように、上述のアーク遮断機構３に加えて、電源側端子４及び負荷側端子５を備えている。
【００２９】
電源側端子４は、導電部材から成り、図示を省略した交流電源又は直流電源に電気的に接続される。そして、電源側端子４は、基部６を交流・直流併用型接続器１の上下方向に貫通した形態で当該基部６に固定されており、交流・直流併用型接続器１の左右方向に間隔を開けて配置されている。ちなみに、基部６は、板状を基本形態とする絶縁部材から成り、周縁部に下側カバー１１が嵌合される段差部６ａ及び負荷側端子５が嵌合される嵌合部６ｂを備えている。
【００３０】
電源側端子４は、例えば、接続部４ａ及び折り曲げ部４ｂを備えている。接続部４ａは、基部６を交流・直流併用型接続器１の上下方向に貫通した形態で当該基部６に固定されており、接続部４ａの下端部に直流電源又は交流電源が電気的に接続される。
【００３１】
折り曲げ部４ｂは、接続部４ａの上端部と連続し、交流・直流併用型接続器１の左右方向から見て、交流・直流併用型接続器１の内部で略逆Ｃ字形状に折り曲げられている。ここで、折り曲げ部４ｂにおける上側水平部４ｃの後端部は、交流・直流併用型接続器１の後方にいくに従って当該交流・直流併用型接続器１の上方に傾斜しているとよい。
【００３２】
負荷側端子５は、導電部材から成り、他方の接続器２の電極端子２ａと電気的に接続される。負荷側端子５は、他方の接続器２の電極端子２ａの間隔と対応するように、交流・直流併用型接続器１の左右方向に間隔を開けて配置されている。そして、負荷側端子５の根元部は基部６に固定され、負荷側端子５の先端部は他方の接続器２の電極端子２ａが挿入される挿入部（ジャック）５ａとされている。
【００３３】
負荷側端子５は、例えば、折り曲げ部５ｂ及び延在部５ｃを備えている。折り曲げ部５ｂは、交流・直流併用型接続器１の左右方向から見て、倒Ｃ字形状に折り曲げられており、折り曲げ部５ｂにおける前側鉛直部の下端部が基部６の嵌合部６ｂに嵌合されている。そして、折り曲げ部５ｂの水平部５ｄから交流・直流併用型接続器１の上方に向かって挿入部５ａが突出している。
【００３４】
延在部５ｃは、折り曲げ部５ｂにおける後側鉛直部の下端部から当該交流・直流併用型接続器１の後方に延在する。この延在部５ｃの少なくとも一部は、電源側端子４の折り曲げ部４ｂにおける上側水平部４ｃの後端部と交流・直流併用型接続器１の上下方向で重なるように配置されている。そして、延在部５ｃにおける電源側端子４の上側水平部４ｃの後端部と重なる部分の下面から交流・直流併用型接続器１の下方に向かって突出部５ｅが突出している。なお、突出部５ｅは、負荷側端子５の延在部５ｃを折り曲げて形成してもよい。
【００３５】
アーク遮断機構３は、他方の接続器２の電極端子２ａにおける負荷側端子５の挿入部５ａへの挿入が完了すると、電源側端子４と負荷側端子５とを電気的に接続し、他方の接続器２の電極端子２ａが負荷側端子５の挿入部５ａから抜去されるとき、他方の接続器２の電極端子２ａにおける負荷側端子５の挿入部５ａからの抜去が完了する前に、電源側端子４と負荷側端子５との電気的な接続を遮断する。
【００３６】
このような構成により、他方の接続器２の電極端子２ａを負荷側端子５の挿入部５ａから抜去する際に、他方の接続器２の電極端子２ａと負荷側端子５の挿入部５ａとの間でのアークの発生を抑制することができる。
【００３７】
つまり、交流・直流併用型接続器１は、導通経路を電源側と負荷側とに分離した内部接点構造とすることで、他方の接続器２の電極端子２ａが負荷側端子５の挿入部５ａから抜去される前に、電源側端子４と負荷側端子５との電気的な接続を遮断する構成とされている。そのため、直流接続を遮断する際に交流・直流併用型接続器１の負荷側端子５と他方の接続器２の電極端子２ａとの間でのアークの発生を抑制することができる。そして、交流・直流併用型接続器１の負荷側端子５と他方の接続器２の電極端子２ａとの間でアークが発生しても、電源側端子４と負荷側端子５との電気的な接続が遮断されるので、アークを消弧することができる。
【００３８】
詳細には、アーク遮断機構３は、図３乃至図６に示すように、例えば、第１のスライダー７、接点８、復帰機構９及び第２のスライダー１０を備えている。第１のスライダー７は、板状を基本形態とする絶縁部材から成り、交流・直流併用型接続器１の前後方向に移動（即ち、往復動作）する。そして、第１のスライダー７の一部は、図７に示すように、交流・直流併用型接続器１の左右方向から見て、電源側端子４の上側水平部４ｃと負荷側端子５の突出部５ｅとの間に配置されている。
【００３９】
第１のスライダー７は、例えば、切り欠き部７ａ、第１の挿入部７ｂ、第２の挿入部７ｃ、突出部７ｄ及び舌状バネ７ｅを備えている。切り欠き部７ａは、第１のスライダー７が交流・直流併用型接続器１の前後方向に移動する際に基部６の嵌合部６ｂなどと干渉しないように、第１のスライダー７に形成されている。
【００４０】
切り欠き部７ａが形成された第１のスライダー７は、例えば、交流・直流併用型接続器１の上下方向から見て、略Ｔ字形状を基本形態としている。そして、交流・直流併用型接続器１の左右方向の幅寸法が広い部分は、基部６の嵌合部６ｂより交流・直流併用型接続器１の後方に配置され、当該幅寸法が広い部分に比べて狭い部分は、基部６における左右の嵌合部６ｂの間に配置されている。但し、第１のスライダー７は、交流・直流併用型接続器１の前後方向に移動可能な形状であればよい。
【００４１】
第１の挿入部７ｂは、復帰機構９の先端部を挿入するために第１のスライダー７に形成されており、例えば、第１のスライダー７の後辺から交流・直流併用型接続器１の前方に向かって切り欠かれた切り欠き部である。
【００４２】
第２の挿入部７ｃは、第２のスライダー１０の押し出し部１０ｂを挿入するために第１のスライダー７に形成されており、例えば、第１のスライダー７の前辺から交流・直流併用型接続器１の後方に向かって切り欠かれた切り欠き部である。
【００４３】
突出部７ｄは、第１のスライダー７の上面から交流・直流併用型接続器１の上方に向かって突出しており、第２の挿入部７ｃの後方に配置されている。
【００４４】
舌状バネ７ｅは、固定部７ｆ及び舌部７ｇを備えている。固定部７ｆは、交流・直流併用型接続器１の前後方向に延在しており、固定部７ｆの後端部が第１のスライダー７の突出部７ｄに固定されている。ここで、第１のスライダー７の突出部７ｄには、舌状バネ７ｅの固定部７ｆが嵌合される嵌合部を備えているとよい。
【００４５】
舌部７ｇは、交流・直流併用型接続器１の下方にいくに従って当該交流・直流併用型接続器１の前方に傾斜しており、舌部７ｇの上端部が固定部７ｆの前端部と連続している。そして、舌部７ｇの下端部は、第１のスライダー７の第２の挿入部７ｃ内に配置されている。
【００４６】
接点８は、導電部材から成り、第１のスライダー７を交流・直流併用型接続器１の上下方向に貫通するように当該第１のスライダー７に設けられている。そして、接点８は、後述するように、第１のスライダー７が第２のスライダー１０によって押し出された際に、電源側端子４における上側水平部４ｃの後端部及び負荷側端子５の突出部５ｅに接触して、電源側端子４における上側水平部４ｃの後端部と負荷側端子５の突出部５ｅとを電気的に接続することができる位置に配置されている。
【００４７】
復帰機構９は、第２のスライダー１０によって押し出された第１のスライダー７を原位置に復帰させる。復帰機構９は、例えば、板バネなどの弾性部材から成る。復帰機構９の根元部は基部６に固定され、復帰機構９の先端部は第１のスライダー７の第１の挿入部７ｂ内に挿入されている。但し、復帰機構９は、第１のスライダー７が交流・直流併用型接続器１の後方に移動した状態から当該第１のスライダー７を移動前の位置に復帰させることができる構成であればよい。
【００４８】
これらの基部６の上面から露出する第１のスライダー７及び復帰機構９などは、下側カバー１１によって覆われている。下側カバー１１は、絶縁部材から成り、案内部１１ａ、第１の挿入部１１ｂ、第２の挿入部１１ｃ及び支柱１１ｄを備えている。
【００４９】
案内部１１ａは、第１のスライダー７における交流・直流併用型接続器１の前後方向の移動を案内する凹部であり、下側カバー１１の左右の内周面に夫々、交流・直流併用型接続器１の前後方向に延在するように形成されている。この案内部１１ａに第１のスライダー７の左右の側部が夫々挿入されている。
【００５０】
第１の挿入部１１ｂは、下側カバー１１の上面に形成された貫通孔である。この第１の挿入部１１ｂには、負荷側端子５の挿入部５ａが挿入されており、第１の挿入部１１ｂから負荷側端子５の挿入部５ａが交流・直流併用型接続器１の上方に向かって突出している。
【００５１】
第２の挿入部１１ｃは、第２のスライダー１０の押し込み部１０ｂにおける交流・直流併用型接続器１の上下方向の移動を許容するように下側カバー１１の上面に形成された貫通孔であり、第２のスライダー１０の押し込み部１０ｂが挿入されている。
【００５２】
支柱１１ｄは、下側カバー１１の上面から交流・直流併用型接続器１の上方に突出している。このような下側カバー１１の周縁部は、基部６の段差部６ａに嵌合されている。
【００５３】
第２のスライダー１０は、絶縁部材から成り、交流・直流併用型接続器１の上下方向に移動する。第２のスライダー１０は、例えば、検出部１０ａ、押し出し部１０ｂ及び挿入部１０ｃを備えている。
【００５４】
検出部１０ａは、他方の接続器２の電極端子２ａが負荷側端子５の挿入部５ａに挿入されたことを検出し、電極端子２ａの挿入動作に応じて押し下げられる。検出部１０ａは、例えば、矩形リングを基本形態としている。そして、検出部１０ａは、負荷側端子５の挿入部５ａ内に挿入され、他方の接続器２の電極端子２ａの先端と接触する接触部１０ｄを備えている。
【００５５】
押し出し部１０ｂは、検出部１０ａの下面から交流・直流併用型接続器１の下方に向かって突出している。押し出し部１０ｂは、上述のように、下側カバー１１における第２の挿入部１１ｃ内に配置されており、他方の接続器２の電極端子２ａが負荷側端子５の挿入部５ａに挿入されて当該電極端子２ａによって検出部１０ａが押し下げられると、第１のスライダー７の第２の挿入部７ｃ内に挿入されて舌状バネ７ｅの舌部７ｇに交流・直流併用型接続器１の前方から接触し、第１のスライダー７を交流・直流併用型接続器１の後方に押し出す。
【００５６】
挿入部１０ｃには、下側カバー１１の支柱１１ｄが挿入されている。これにより、第２のスライダー１０は、交流・直流併用型接続器１の上下方向に案内される。そして、支柱１１ｄに通された形態で、下側カバー１１の上面と第２のスライダー１０の下面との間にコイルバネなどの弾性部材１２が配置されている。これにより、第２のスライダー１０を他方の接続器２の電極端子２ａの挿抜動作に連動させることができる。
【００５７】
また、挿入部１０ｃにおける交流・直流併用型接続器１の上下方向の長さを確保するために、内部に挿入部１０ｃが形成された延長部１０ｅを検出部１０ａの下面から交流・直流併用型接続器１の下方に向かって突出するように形成するとよい。これにより、第２のスライダー１０をより安定させて交流・直流併用型接続器１の上下方向に移動させることができる。
【００５８】
さらに、延長部１０ｅの下面に弾性部材１２の収容部１０ｆを形成するとよい。後述のように、第２のスライダー１０を交流・直流併用型接続器１の下方に移動させた際に、収縮する弾性部材１２を良好に収容することができる。
【００５９】
これらの下側カバー１１の上面から露出する負荷側端子５の挿入部５ａ及び第２のスライダー１０などは、上側カバー１３によって覆われている。上側カバー１３の上面には、負荷側端子５の挿入部５ａと対応する位置に、他方の接続器２の電極端子２ａが挿入される挿入部１３ａが形成されている。
【００６０】
次に、本実施の形態の交流・直流併用型接続器１に他方の接続器２の電極端子２ａが挿入される際のアーク遮断機構３の動作を説明する。ここで、交流・直流併用型接続器１の電源側端子４は、直流電源に電気的に接続されているものとする。
【００６１】
図８は、本実施の形態の交流・直流併用型接続器に他方の接続器の電極端子が挿入された際のアーク遮断機構の動作を説明するための図であり、図５と対応する位置での断面斜視図である。図９は、本実施の形態の交流・直流併用型接続器に他方の接続器の電極端子が挿入された際のアーク遮断機構の動作を説明するための図であり、図６と対応する位置での断面斜視図である。図１０は、図９のＸ部分の拡大図である。図１１は、本実施の形態の交流・直流併用型接続器の磁石の配置を説明するための図である。図１２は、本実施の形態の交流・直流併用型接続器の磁石の配置を説明するための異なる図である。なお、各図は、簡略化して示されている場合がある。
【００６２】
図８に示すように、交流・直流併用型接続器１における負荷側端子５の挿入部５ａに他方の接続器２の電極端子２ａが挿入されるのに伴って、電極端子２ａの先端が第２のスライダー１０における検出部１０ａの接触部１０ｄに接触する。
【００６３】
そして、他方の接続器２の電極端子２ａの挿入動作によって第２のスライダー１０は押し下げられ、第２のスライダー１０の押し出し部１０ｂが第１のスライダー７の第２の挿入部７ｃ内に挿入されて交流・直流併用型接続器１の前方から第１のスライダー７の舌状バネ７ｅの舌部７ｇに接触する。このとき、他方の接続器２の電極端子２ａにおける交流・直流併用型接続器１の負荷側端子５の挿入部５ａへの挿入が完了する直前に、第２のスライダー１０の押し込み部１０ｂが第１のスライダー７の舌状バネ７ｅの舌部７ｇに接触する。
【００６４】
それに伴い、第２のスライダー１０の押し出し部１０ｂによって第１のスライダー７が下側カバー１１の案内部１１ａに沿って交流・直流併用型接続器１の後方（第１の方向）に押し出される。つまり、他方の接続器２の電極端子２ａの挿入動作は、第１のスライダー７における交流・直流併用型接続器１の後方への移動動作に変換される。
【００６５】
そして、図９及び図１０に示すように、第１のスライダー７の移動に伴って接点８が電源側端子４における上側水平部４ｃの後端部と負荷側端子５の突出部５ｅとの間に挿入されると、接点８を介して電源側端子４と負荷側端子５とが電気的に接続される。
【００６６】
このとき、他方の接続器２の電極端子２ａにおける交流・直流併用型接続器１の負荷側端子５の挿入部５ａへの挿入が完了すると、電源側端子４と負荷側端子５とが電気的に接続されるように接点８が移動する。つまり、他方の接続器２の電極端子２ａにおける交流・直流併用型接続器１の負荷側端子５の挿入部５ａへの挿入が完了するまで、電源側端子４と負荷側端子５とは電気的に接続されない。また、第１のスライダー７の移動に伴って復帰機構９が交流・直流併用型接続器１の後方に向かって押し込まれて弾性変形する。
【００６７】
ここで、例えば、第１のスライダー７の後辺が下側カバー１１における案内部１１ａの後側壁面に接触し、第１のスライダー７の舌状バネ７ｅが第２のスライダー１０の押し出し部１０ｂに接触して、第１のスライダー７が交流・直流併用型接続器１の前後方向から挟み込まれて固定されるとよい。これにより、第２のスライダー１０の押し出し部１０ｂ及び下側カバー１１の案内部１１ａは、第１のスライダー７を交流・直流併用型接続器１の後方に移動させた状態で、即ち、接点８を介して電源側端子４と負荷側端子５とを電気的に接続させると共に、復帰機構９を変形させた状態で、第１のスライダー７を固定する固定機構として機能させることができる。
【００６８】
次に、本実施の形態の交流・直流併用型接続器１から他方の接続器２の電極端子２ａが抜去される際のアーク遮断機構３の動作を説明する。上述のように、交流・直流併用型接続器１における負荷側端子５の挿入部５ａに他方の接続器２の電極端子２ａが挿入された状態から当該電極端子２ａが抜去されるのに伴って、弾性部材１２の復元力によって第２のスライダー１０が交流・直流併用型接続器１の上方に押し上げられる。
【００６９】
これにより、第２のスライダー１０の押し込み部１０ｂが交流・直流併用型接続器１の上方に移動して、押し込み部１０ｂと第１のスライダー７の舌状バネ７ｅとの接触が解除され、復帰機構９の復元力によって第１のスライダー７が交流・直流併用型接続器１の前方（第２の方向）に押し戻される。
【００７０】
そして、第１のスライダー７の移動に伴って接点８も交流・直流併用型接続器１の前方に移動して、接点８を介する電源側端子４と負荷側端子５との電気的な接続が遮断される。このとき、他方の接続器２の電極端子２ａが負荷側端子５の挿入部５ａから完全に抜去される前に、電源側端子４と負荷側端子５との電気的な接続が遮断されるように接点８は移動する。
【００７１】
ここで、例えば、第１のスライダー７の第１の挿入部７ｂが復帰機構９によって押し込まれつつ、第１のスライダー７における第１の切り欠き部７ａが基部６の嵌合部６ｂに接触して、第１のスライダー７が交流・直流併用型接続器１の前後方向から挟み込まれて固定されるとよい。これにより、復帰機構９及び基部６の嵌合部６ｂは、第１のスライダー７を交流・直流併用型接続器１を前方に移動させた状態で固定する固定機構として機能させることができる。
【００７２】
このように本実施の形態の交流・直流併用型接続器１は、他方の接続器２の電極端子２ａが負荷側端子５の挿入部５ａから完全に抜去される前に、電源側端子４と負荷側端子５との電気的な接続を遮断する。そのため、交流・直流併用型接続器１の負荷側端子５と他方の接続器２の電極端子２ａとの間で発生するアークを抑制することができる。そのため、使用時の安全性を向上させることができる。
【００７３】
そして、交流・直流併用型接続器１の負荷側端子５と他方の接続器２の電極端子２ａとの間でアークが発生しても、電源側端子４と負荷側端子５との電気的な接続が遮断されるので、アークを消弧することができる。ここで、本実施の形態では、復帰機構９によって迅速に電源側端子４と負荷側端子５との電気的な接続を遮断することができるので、アークが発生しても当該アークの発生時間が短い。そのため、交流・直流併用型接続器１の寿命及び信頼性を向上させることができる。
【００７４】
また、電源側端子４と負荷側端子５との間でアークが発生しても、当該アークの発生は下側カバー１１内であるので、安全である。
【００７５】
さらに、交流・直流併用型接続器１は、元々、交流コンセントコネクタであるので、交流接続する際にも用いることができる。このとき、プラグコンセントの電極端子が挿入されていない状態では、電源側端子４と負荷側端子５との電気的な接続は遮断されているので、負荷側端子５に誤って触れてしまっても感電することはない。そのため、安全性の向上に寄与できる。
【００７６】
ここで、アーク遮断機構３は、電源側端子４と負荷側端子５とが接点８を介して電気的に接続される位置近傍に磁石１４を備えていることが好ましい。例えば、図１１及び図１２に示すように、磁石１４は、電源側端子４における上側水平部４ｃの後端部と負荷側端子５の突出部５ｅとが接点８を介して電気的に接続される位置近傍で、電源側端子４における上側水平部４ｃの後端部及び負荷側端子５の突出部５ｅに対して右方又は左方に配置されており、下側カバー１１に形成された嵌合部１１ｅに嵌合されている。これにより、電源側端子４と負荷側端子５との間で発生したアークを良好に消弧することができる。
【００７７】
＜実施の形態２＞
本実施の形態の交流・直流併用型接続器を説明する。先ず、本実施の形態の交流・直流併用型接続器の構成を説明する。
【００７８】
図１３は、本実施の形態の交流・直流併用型接続器の外観を模式的に示す斜視図である。図１４は、本実施の形態の交流・直流併用型接続器の上側カバーを取り除いた状態を模式的に示す斜視図である。図１５は、本実施の形態の交流・直流併用型接続器のアーク遮断機構の構成を模式的に示す後方斜視図である。図１６は、本実施の形態の交流・直流併用型接続器のアーク遮断機構の構成を模式的に示す前方斜視図である。図１７は、図１４のXVII−XVII位置での断面斜視図である。図１８は、図１４のXVIII−XVIII位置での断面斜視図である。なお、各図は、簡略化して示されている場合がある。
【００７９】
交流・直流併用型接続器２０は、図１３及び図１４に示すように、プラグとして電極端子２１ａの他に当該電極端子２１ａより長い接地端子２１ｂを有する３ピン型のプラグコネクタ（即ち、他方の接続器）２１が挿抜されるコンセントコネクタである。そして、交流・直流併用型接続器２０は、実施の形態１の交流・直流併用型接続器１に対して、実施の形態１の第２のスライダー１０及び当該第２のスライダー１０の動作に関連する部材（弾性部材１２や下側カバー１１の支柱１１ｄ）が省略され、他方の接続器２１の接地端子２１ｂの挿入（嵌合）に基づいて第１のスライダー７が交流・直流併用型接続器２０の後方に移動する構成とされている。なお、以下の説明では、重複する説明は省略し、実施の形態１と等しい要素には等しい符号を用いて説明する。
【００８０】
基部６には、図１５乃至図１８に示すように、電源側端子４の他に接地端子２２が固定されている。接地端子２２は、例えば、接続部２２ａ、挿入部２２ｂ及び貫通部２２ｃを備えている。接続部２２ａは、基部６を交流・直流併用型接続器２０の上下方向に貫通した形態で当該基部６に固定されており、接続部２２ａの下端部が基準電位点に電気的に接続される。挿入部２２ｂは、接続部２２ａの上端部に設けられており、他方の接続器２１の接地端子２１ｂが挿入される。
【００８１】
貫通部２２ｃは、挿入部２２ｂの底部に形成されており、挿入部２２ｂに挿入された他方の接続器２１の接地端子２１ｂが貫通する。ここで、貫通部２２ｃを貫通した他方の接続器２１の接地端子２１ｂが接続部２２ａに干渉しないように、接続部２２ａは配置されている。
【００８２】
下側カバー１１の第２の挿入部１１ｃには、実施の形態１における第２のスライダー１０の押し出し部１０ｂに代わって接地端子２２が挿入されており、当該第２の挿入部１１ｃから接地端子２２の挿入部２２ｂが交流・直流併用型接続器２０の上方に向かって突出している。
【００８３】
上側カバー１３は、図１３に示すように、他方の接続器２１の電極端子２１ａが挿入される挿入部１３ｂの他に、他方の接続器２１の接地端子２１ｂが挿入される挿入部１３ｃを備えている。
【００８４】
次に、本実施の形態の交流・直流併用型接続器２０に他方の接続器２１の接地端子２１ｂが挿入される際のアーク遮断機構の動作を説明する。ここで、交流・直流併用型接続器２０の電源側端子４は、直流電源に電気的に接続されているものとする。
【００８５】
図１９は、本実施の形態の交流・直流併用型接続器に他方の接続器の接地端子が挿入された際のアーク遮断機構の動作を説明するための図であり、図１７と対応する位置での断面斜視図である。図２０は、本実施の形態の交流・直流併用型接続器に他方の接続器の接地端子が挿入された際のアーク遮断機構の動作を説明するための図であり、図１８と対応する位置での断面斜視図である。図２１は、図２０のXXI部分の拡大図である。図２２は、本実施の形態の交流・直流併用型接続器の磁石の配置を説明するための図である。図２３は、本実施の形態の交流・直流併用型接続器の磁石の配置を説明するための異なる図である。なお、各図は、簡略化して示されている場合がある。
【００８６】
図１９に示すように、交流・直流併用型接続器２０における接地端子２２の挿入部２２ｂに他方の接続器２１の接地端子２１ｂが挿入されて下側カバー１１の第２の挿入部１１ｃ及び接地端子２２の貫通部２２ｃを貫通し、第１のスライダー７の第２の挿入部７ｃに挿入されるのに伴って、他方の接続器２１の接地端子２１ｂが交流・直流併用型接続器２０の前方から第１のスライダー７の舌状バネ７ｅの舌部７ｇに接触する。
【００８７】
このとき、他方の接続器２１の接地端子２１ｂにおける交流・直流併用型接続器２０の接地端子２２の挿入部２２ｂへの挿入が完了する直前に、他方の接続器２１の接地端子２１ｂが第１のスライダー７の舌状バネ７ｅの舌部７ｇに接触する。
【００８８】
これにより、図２０に示すように、第１のスライダー７が下側カバー１１の案内部１１ａに沿って交流・直流併用型接続器２０の後方に押し出される。そして、図２１に示すように、第１のスライダー７の移動に伴って接点８が電源側端子４における上側水平部４ｃの後端部と負荷側端子５の突出部５ｅとの間に挿入され、接点８を介して電源側端子４と負荷側端子５とが電気的に接続される。
【００８９】
このとき、他方の接続器２１の接地端子２１ｂにおける交流・直流併用型接続器２０の接地端子２２の挿入部２２ｂへの挿入が完了すると、電源側端子４と負荷側端子５とが電気的に接続されるように接点８は移動する。つまり、他方の接続器２１の電極端子２１ａにおける負荷側端子５の挿入部５ａへの挿入が完了した後に、接点８を介して電源側端子４と負荷側端子５とが電気的に接続されることになる。
【００９０】
次に、本実施の形態の交流・直流併用型接続器２０から他方の接続器２１の接地端子２１ｂが抜去される際のアーク遮断機構の動作を説明する。上述のように、交流・直流併用型接続器２０における接地端子２２の挿入部２２ｂに他方の接続器２１の接地端子２１ｂが挿入された状態から当該接地端子２１ｂが抜去されるのに伴って、他方の接続器２１の接地端子２１ｂと第１のスライダー７の舌状バネ７ｅとの接触が解除され、復帰機構９の復元力によって第１のスライダー７が交流・直流併用型接続器２０の前方に押し戻される。第１のスライダー７の移動に伴って接点８も交流・直流併用型接続器２０の前方に移動して、接点８を介する電源側端子４と負荷側端子５との電気的な接続が遮断される。
【００９１】
このとき、他方の接続器２１の接地端子２１ｂは電極端子２１ａより長く、当該接地端子２１ｂにおける交流・直流併用型接続器２０の接地端子２２の挿入部２２ｂへの挿入が完了する直前に、他方の接続器２１の接地端子２１ｂが第１のスライダー７の舌状バネ７ｅの舌部７ｇに接触する構成とされているので、他方の接続器２１の電極端子２１ａが負荷側端子５の挿入部５ａから完全に抜去される前に、電源側端子４と負荷側端子５との電気的な接続が遮断される。
【００９２】
このように交流・直流併用型接続器に挿抜される他方の接続器が接地端子付きのプラグコンセントである場合、他方の接続器の接地端子を用いて、実施の形態１の交流・直流併用型接続器１に比べて、簡易な構成でアーク遮断機構を構成することができる。
【００９３】
ここで、本実施の形態のアーク遮断機構も、電源側端子４と負荷側端子５とが接点８を介して電気的に接続される位置近傍に磁石１４を備えていることが好ましい。例えば、図２２及び図２３に示すように、磁石１４は、電源側端子４における上側水平部４ｃの後端部と負荷側端子５の突出部５ｅとが接点８を介して電気的に接続される位置近傍で、電源側端子４における上側水平部４ｃの後端部及び負荷側端子５の突出部５ｅに対して右方又は左方に配置されており、下側カバー１１に形成された嵌合部１１ｅに嵌合されている。これにより、電源側端子４と負荷側端子５との間で発生したアークを良好に消弧することができる。
【００９４】
＜実施の形態３＞
本実施の形態の交流・直流併用型接続器を説明する。先ず、本実施の形態の交流・直流併用型接続器の構成を説明する。図２４は、本実施の形態の交流・直流併用型接続器のアーク遮断機構の構成を模式的に示す後方斜視図である。図２５は、図２４のXXV−XXV位置での断面図である。
【００９５】
交流・直流併用型接続器３０は、図２４に示すように、実施の形態２の交流・直流併用型接続器２０と略等しい構成とされているが、ロータリーカム３１を用いて接点３２を移動させる構成とされている。なお、以下の説明では、重複する説明は省略し、実施の形態１及び２と等しい要素には等しい符号を用いて説明する。
【００９６】
ロータリーカム３１は、図２４に示すように、回転軸３５を中心に回転する回転部材である。ロータリーカム３１は、例えば、屈曲部材であり、一方の端部が第１のスライダー３６の後端部に回転可能に連結され、他方の端部に接点３２を押し込む押し込み部３１ａを備えている。そして、ロータリーカム３１は、第１のスライダー３６が交流・直流併用型接続器３０の後方に押し出されていない状態で、他方の端部が一方の端部に対して交流・直流併用型接続器３０の前方に配置されている。
【００９７】
回転軸３５は、基部３７の上面から交流・直流併用型接続器３０の上方に突出している。回転軸３５は、例えば、基部３７の突出部３７ａの上面に設けられている。突出部３７ａは、基部３７の上面から交流・直流併用型接続器３０の上方に突出しており、基部３７の後辺近傍で交流・直流併用型接続器３０の左右に間隔を開けて配置されている。
【００９８】
電源側端子３３は、例えば、図２５に示すように、接続部３３ａ及び折り曲げ部３３ｂを備えている。接続部３３ａは、基部３７を貫通した形態で当該基部３７に固定されており、接続部３３ａの下端部が直流電源又は交流電源に接続される。折り曲げ部３３ｂは、交流・直流併用型接続器３０の左右方向から見て、略逆Ｕ字形状に折り曲げられており、後側鉛直部３３ｃの下端部が接続部３３ａの上端部と連続する。
【００９９】
負荷側端子３４は、例えば、図２５に示すように、鉛直部３４ａ、水平部３４ｂ及び挿入部３４ｃを備えている。鉛直部３４ａの下端部は、基部３７に固定されている。水平部３４ｂは、鉛直部３４ａの上端部から交流・直流併用型接続器３０の後方に向かって延在している。挿入部３４ｃは、水平部３４ｂから交流・直流併用型接続器３０の上方に突出するように設けられており、他方の接続器２１の電極端子２１ａが挿入される。
【０１００】
負荷側端子３４の鉛直部３４ａは、電源側端子３３における折り曲げ部３３ｂの前側鉛直部３３ｄと対向している。そして、負荷側端子３４の鉛直部３４ａにおける電源側端子３３の前側鉛直部３３ｄと対向する側の面に接点３４ｄが設けられている。一方、電源側端子３３の前側鉛直部３３ｄにおける負荷側端子３４の鉛直部３４ａと対向する側の面に接点３２が設けられている。
【０１０１】
第１のスライダー３６は、例えば、左右の電源側端子３３及び負荷側端子３４の間に配置された幅広部分３６ａ、及び基部３７の左右の突出部３７ａの間に配置された幅狭部分３６ｂを備えている。そして、幅広部分３６ａの前辺から交流・直流併用型接続器３０の後方に向かって挿入部（不図示）が切り欠かれており、当該挿入部に実施の形態２と同様に他方の接続器２１の接地端子２１ｂが挿入される。但し、第１のスライダー３６は、交流・直流併用型接続器３０の前後方向に移動可能な形状であればよい。
【０１０２】
次に、本実施の形態の交流・直流併用型接続器３０に他方の接続器２１の接地端子２１ｂが挿入される際のアーク遮断機構の動作を説明する。ここで、交流・直流併用型接続器３０の電源側端子３３は、直流電源に電気的に接続されているものとする。
【０１０３】
図２６は、本実施の形態の交流・直流併用型接続器に他方の接続器の接地端子が挿入された際のアーク遮断機構の動作を説明するための斜視図である。図２７は、図２６のXXVII部分の拡大図である。図２８は、図２６のXXVIII−XXVIII位置での断面図である。
【０１０４】
交流・直流併用型接続器３０における接地端子２２の挿入部２２ｂに他方の接続器２１の接地端子２１ｂが挿入されて下側カバー１１の第２の挿入部１１ｃ及び接地端子２２の貫通部２２ｃを貫通し、第１のスライダー３６の挿入部に挿入されるのに伴って、他方の接続器２１の接地端子２１ｂが交流・直流併用型接続器３０の前方から第１のスライダー３６の舌状バネ７ｅの舌部７ｇに接触する。
【０１０５】
これにより、図２６に示すように、第１のスライダー３６が交流・直流併用型接続器３０の後方に押し出される。それに伴って、図２７及び図２８に示すように、ロータリーカム３１が回転して押し込み部３１ａが電源側端子３３の後側鉛直部３３ｃを交流・直流併用型接続器３０の前方に押し込む。
【０１０６】
押し込まれた電源側端子３３は、交流・直流併用型接続器３０の前方に弾性変形し、接点３２が負荷側端子３４の接点３４ｄに接触する。その結果、接点３２を介して電源側端子３３と負荷側端子３４とが電気的に接続される。
【０１０７】
このとき、実施の形態２と同様に、他方の接続器２１の接地端子２１ｂにおける交流・直流併用型接続器３０の接地端子２２の挿入部２２ｂへの挿入が完了すると、電源側端子３３と負荷側端子３４とが電気的に接続されるように接点３２が移動する。つまり、他方の接続器２１の電極端子２１ａにおける負荷側端子３４の挿入部３４ｃへの挿入が完了した後に、電源側端子３３と負荷側端子３４とは電気的に接続される。
【０１０８】
次に、本実施の形態の交流・直流併用型接続器３０から他方の接続器２１の接地端子２１ｂが抜去される際のアーク遮断機構の動作を説明する。上述のように、交流・直流併用型接続器３０における接地端子２２の挿入部２２ｂに他方の接続器２１の接地端子２１ｂが挿入された状態から当該接地端子２１ｂが抜去されるのに伴って、他方の接続器２１の接地端子２１ｂと第１のスライダー３６の舌状バネ７ｅとの接触が解除され、電源側端子３３の復元力によってロータリーカム３１を介して第１のスライダー３６が交流・直流併用型接続器３０の前方に押し戻されると共に、接点３２が交流・直流併用型接続器３０の後方に移動する。その結果、電源側端子３３と負荷側端子３４との電気的な接続が解除される。
【０１０９】
このとき、実施の形態２と同様に、他方の接続器２１の接地端子２１ｂは電極端子２１ａより長く、当該接地端子２１ｂにおける交流・直流併用型接続器３０の接地端子２２の挿入部２２ｂへの挿入が完了する直前に、他方の接続器２１の接地端子２１ｂが第１のスライダー３６の舌状バネ７ｅの舌部７ｇに接触する構成とされているので、他方の接続器２１の電極端子２１ａが負荷側端子３４の挿入部３４ｃから完全に抜去される前に、電源側端子３３と負荷側端子３４との電気的な接続が解除される。
【０１１０】
上記実施の形態では、他方の接続器２１の接地端子２１ｂによって第１のスライダー３６を移動させているが、実施の形態１と同様に第２のスライダーによって第１のスライダー３６を移動させてもよい。
【０１１１】
以上、本発明の実施の形態を説明したが、上記の構成に限らず、本発明の技術的思想を逸脱しない範囲で、変更することが可能である。
【０１１２】
上記実施の形態では、第１のスライダーを交流・直流併用型接続器の後方に移動させることで接点を介して電源側端子と負荷側端子とを電気的に接続しているが、第１のスライダーを交流・直流併用型接続器の前方又は右方又は左方に移動させることで接点を介して電源側端子と負荷側端子とを電気的に接続してもよい。また、第１のスライダーを直動動作でなく、回転動作させてもよい。
【０１１３】
上記実施の形態では、機械式に接点を移動させているが、プラグコンセントのプラグの挿抜をセンサで検出し、検出情報に基づいて動作させたアクチュエータによって接点を移動させてもよい。要するに、一方の接続器の端子と他方の接続器の端子との挿抜に基づいて接点を移動させることができる構成であればよい。
【符号の説明】
【０１１４】
１  交流・直流併用型接続器
２  他方の接続器
２ａ  電極端子
３  アーク遮断機構
４  電源側端子、４ａ  接続部、４ｂ  折り曲げ部、４ｃ  上側水平部
５  負荷側端子、５ａ  挿入部、５ｂ  折り曲げ部、５ｃ  延在部、５ｄ  水平部、５ｅ  突出部
６  基部、６ａ  段差部、６ｂ  嵌合部
７  第１のスライダー、７ａ  切り欠き部、７ｂ  第１の挿入部、７ｃ  第２の挿入部、７ｄ  突出部、７ｅ  舌状バネ、７ｆ  固定部、７ｇ  舌部
８  接点
９  復帰機構
１０  第２のスライダー、１０ａ  検出部、１０ｂ  押し出し部、１０ｃ  挿入部、１０ｄ  接触部、１０ｅ  延長部、１０ｆ  収容部
１１  下側カバー、１１ａ  案内部、１１ｂ  第１の挿入部、１１ｃ  第２の挿入部、１１ｄ  支柱、１１ｅ  嵌合部
１２  弾性部材
１３  上側カバー、１３ａ、１３ｂ、１３ｃ  挿入部
１４  磁石
２０  交流・直流併用型接続器
２１  他方の接続器
２１ａ  電極端子
２１ｂ  接地端子
２２  接地端子、２２ａ  接続部、２２ｂ  挿入部、２２ｃ  貫通部
３０  交流・直流併用型接続器
３１  ロータリーカム
３１ａ  押し込み部
３２  接点
３３  電源側端子、３３ａ  接続部、３３ｂ  折り曲げ部、３３ｃ  後側鉛直部、３３ｄ  前側鉛直部
３４  負荷側端子、３４ａ  鉛直部、３４ｂ  水平部、３４ｃ  挿入部、３４ｄ  接点
３５  回転軸
３６  第１のスライダー、３６ａ  幅広部分、３６ｂ  幅狭部分
３７  基部、３７ａ  突出部
【図１】
2018028995.tif 000003
【図２】
2018028995.tif 000004
【図３】
2018028995.tif 000005
【図４】
2018028995.tif 000006
【図５】
2018028995.tif 000007
【図６】
2018028995.tif 000008
【図７】
2018028995.tif 000009
【図８】
2018028995.tif 000010
【図９】
2018028995.tif 000011
【図１０】
2018028995.tif 000012
【図１１】
2018028995.tif 000013
【図１２】
2018028995.tif 000014
【図１３】
2018028995.tif 000015
【図１４】
2018028995.tif 000016
【図１５】
2018028995.tif 000017
【図１６】
2018028995.tif 000018
【図１７】
2018028995.tif 000019
【図１８】
2018028995.tif 000020
【図１９】
2018028995.tif 000021
【図２０】
2018028995.tif 000022
【図２１】
2018028995.tif 000023
【図２２】
2018028995.tif 000024
【図２３】
2018028995.tif 000025
【図２４】
2018028995.tif 000026
【図２５】
2018028995.tif 000027
【図２６】
2018028995.tif 000028
【図２７】
2018028995.tif 000029
【図２８】
2018028995.tif 000030